(57)【特許請求の範囲】
【請求項１】
太陽熱温水器（１）  から供給される温水と給水回路（１５）から供給される水道水を混合して設定温度の混合温水を作る湯水混合器（１７）と、
前記湯水混合器（１７）で混合された温水の温度が設定温度より低くなる場合はこれを設定温度まで加熱昇温させる湯沸器（２）  を具備し、
シャワー（３３）に繋がるシャワー回路（３２）と、浴槽（３４）又は出湯蛇口（３６）（３６）に繋がる給湯回路に前記湯沸器（２）  から温水供給する給湯装置において、
手動操作する水量増加スイッチと、
前記水量増加スイッチが操作されたときには身体に付着した洗剤等の洗い落しに適した流量の水をシャワー（３３）から流出させ得る程度の所定開度に給水回路（１５）の開度を設定する開度制御置を具備させた給湯装置。
【請求項２】
太陽熱温水器（１）  から供給される温水と給水回路（１５）から供給される水道水を混合して設定温度の混合温水を作る湯水混合器（１７）と、
前記湯水混合器（１７）で混合された温水の温度が設定温度より低くなる場合はこれを設定温度まで加熱昇温させる湯沸器（２）  を具備し、
シャワー（３３）に繋がるシャワー回路（３２）と、浴槽（３４）又は出湯蛇口（３６）（３６）に繋がる給湯回路に前記湯沸器（２）  から温水供給する給湯装置において、
前記シャワー（３３）の使用時に水量増加信号を出力する信号発生手段と、
前記信号発生手段が水量増加信号を出力したときには身体に付着した洗剤等の洗い落しに適した流量の水をシャワー（３３）から流出させ得る程度の所定開度に給水回路（１５）の開度を設定する開度制御置を具備させた給湯装置。
【発明の詳細な説明】
【０００１】
【発明の属する技術分野】
この発明は給湯装置、特に、太陽熱温水器から供給される温水を利用する形式の給湯装置に関するものである。
【０００２】
【従来の技術】
この種の給湯装置として、例えば図８に示す如きものがある。
同図のものは、太陽熱温水器の設置場所と出湯蛇口等が配設された給湯場所の高低差によって生じる水圧を利用して前記給湯場所に給湯する形式のもので、前記太陽熱温水器はボールタップ等で水位を一定に維持するタンク式のものが採用されている。
【０００３】
太陽熱温水器（１）  から引き出された温水回路（１１）は給水回路（１５）と共に湯水混合器（１７）を介して湯沸器（２）  内の熱交換器（２１）に接続されている。前記熱交換器（２１）の下流側の通水回路は、シャワー（３３）に繋がるシャワー回路（３２）と、浴槽（３４）や洗面所等の出湯蛇口（３６）（３６）（３６）に繋がる給湯回路（３１）（３７）に分岐している。
【０００４】
このものでは、シャワーコック（３２１）  や湯張り弁（３１１）  等が開放状態になると、太陽熱温水器（１）  から供給される温水と給水回路（１５）から供給される水道水が湯水混合器（１７）で混合されて該混合温水が前記シャワー（３３）や浴槽（３４）等に供給される。そして、太陽熱温水器（１）  から供給される温水が設定温度より高い場合は、該温水を給水回路（１５）から供給される水道水でぬるめる一方、前記太陽熱温水器（１）  から供給される温水が設定温度より低い場合は、これが設定温度になるまで湯沸器（２）  部分で加熱昇温させて前記シャワー（３３）等に供給する。
【０００５】
【発明が解決しようとする課題】
しかしながら、上記のものでは、太陽熱温水器（１）  の設置場所とシャワー（３３）等の配設場所たる給湯場所の高低差によって生じる水圧を利用して給湯するものであるから、給水回路（１５）から供給される水道水のみを利用する通常の給湯装置に比べて水圧不足となり、これによりシャワー（３３）等からの温水の流出量が減少して豊富な温水を取り出せない。従って、浴槽（３４）へ湯張りする場合や洗面所等で温水を使用する場合はともかく、シャワー（３３）を使用するときに豊富な温水が得られないと、身体に付着した洗剤や汚れを迅速且つ効率的に洗い落とすことが困難となる不都合がある。
【０００６】
請求項１及び請求項２の発明は、『太陽熱温水器（１）  から供給される温水と給水回路（１５）から供給される水道水を混合して設定温度の混合温水を作る湯水混合器（１７）と、
前記湯水混合器（１７）で混合された温水の温度が設定温度より低くなる場合はこれを設定温度まで加熱昇温させる湯沸器（２）  を具備し、
シャワー（３３）に繋がるシャワー回路（３２）と、浴槽（３４）又は出湯蛇口（３６）（３６）に繋がる給湯回路に前記湯沸器（２）  から温水供給する給湯装置』において、シャワー（３３）から豊富な量の温水が取り出せる給湯装置を提供することを目的とする。
【０００７】
【課題を解決するための手段】
前述した目的を達成するために、請求項１の発明は、『手動操作する水量増加スイッチと、
前記水量増加スイッチが操作されたときには身体に付着した洗剤等の洗い落しに適した流量の水をシャワー（３３）から流出させ得る程度の所定開度に給水回路（１５）の開度を設定する開度制御置を具備させた』ことを特徴としたものである。
【０００８】
上記手段は次のように作用する。
シャワー（３３）の使用時に水量増加スイッチが操作されると、開度制御装置が作動し、該開度制御装置は、身体に付着した洗剤等の洗い落しに適した流量の水をシャワー（３３）から流出させ得る程度の所定開度に給水回路（１５）の開度を設定する。即ち、該所定開度に設定することにより、給水回路（１５）を介して伝達される水道配管内の水道水圧を湯沸器（２）  からシャワー（３３）に十分に伝達させる。そして、これにより、前記シャワー（３３）からの噴出水量を考慮することなく太陽熱温水器（１）  の温水を利用する場合のように該シャワー（３３）からの噴出水量が低下するのを防止し、前記シャワー（３３）の使用に適した所定の出湯量を確保する。
【０００９】
請求項２の発明は、『前記シャワー（３３）の使用時に水量増加信号を出力する信号発生手段と、
前記信号発生手段が水量増加信号を出力したときには身体に付着した洗剤等の洗い落しに適した流量の水をシャワー（３３）から流出させ得る程度の所定開度に給水回路（１５）の開度を設定する開度制御置を具備させた』ことを特徴としたものである。
【００１０】
上記手段は次のように作用する。
シャワー（３３）の使用時には信号発生手段が水量増加信号を出力し、該水量増加信号によって、開度制御手段が給水回路（１５）の開度を請求項１の発明と同様の所定開度に設定する。従って、上記請求項１に記載の発明と同様に、シャワー（３３）からの噴出水量を考慮することなく太陽熱温水器（１）  からの温水を利用する場合のように該シャワー（３３）からの噴出水量が低下するのを防止する。
【００１１】
【発明の効果】
以上説明したように、請求項１及び請求項２に記載の発明は、シャワー（３３）からの噴出水量を考慮することなく太陽熱温水器（１）  からの温水を利用する場合のように該シャワー（３３）からの噴出水量が低下するのを防止するから、豊富な量の温水を該シャワー（３３）から取り出すことかできる。従って、前記シャワー（３３）を使用する場合には、身体に付着した洗剤や汚れを迅速且つ効率的に洗い流すことができる。
【００１２】
【発明の実施の形態】
次に、上記した発明の実施の形態を説明する。
図１は請求項１に記載の発明の実施の形態を示している。
太陽熱温水器（１）  から引き出された温水回路（１１）には湯温センサ（１１１）  とその下流側の逆止弁（１１５）  及び温水量調整弁（１１２）  が設けられている。又、上流側が水道配管に繋がる給水回路（１５）には給水弁（１５１）  が挿入されており、該給水弁（１５１）  と前記温水量調整弁（１１２）  によって湯水混合器（１７）が構成されている。そして、前記給水弁（１５１）  と前記温水量調整弁（１１２）  の下流側は互いに合流接続されている。
【００１３】
上記湯水混合器（１７）の下流側の通水回路には、前記給水回路（１５）からの水道水と太陽熱温水器（１）  からの温水を混合した混合温水の温度を検知する混合水温センサ（１３）が設けられており、更に、その下流にはガスバーナ（２６）で加熱される熱交換器（２１）を具備する湯沸器（２）  が接続されている。そして、該湯沸器（２）  内の通水回路には水流スイッチ（２３），熱交換器（２１）及び出湯温センサ（２４）がこの順序で上流側から順次配設されている。又、上記出湯温センサ（２４）の下流側の通水回路は、浴室（Ｂ）  内に繋がるシャワー回路（３２）と浴槽（３４）に繋がる給湯回路（３１）と更に台所や洗面所の蛇口（３６）（３６）に繋がる給湯回路（３７）に分岐しており、シャワー回路（３２）にはシャワー（３３）とこれを開閉するシャワーコック（３２１）  が設けられている。又、給湯回路（３１）は湯張り弁（３１１）  及び水位センサ（３１２）  を介して浴槽（３４）に接続されている。
【００１４】
上記シャワー（３３）が設けられた浴室（Ｂ）  内には、水量増加スイッチ（４４）や湯張りスイッチ（４５）等を具備する遠隔操作装置（４１）が設けられていると共に、該遠隔操作装置（４１）はマイクロコンピュータが組み込まれた制御装置（５）  に配線接続されている。尚、上記水量増加スイッチ（４４）は、これを押す毎にその出力がＯＮ・ＯＦＦと繰り返して変化する形式のものである。又、前記制御装置（５）  には、既述した湯沸器（２）  の通水回路に配設された出湯温センサ（２４）や水流スイッチ（２３）等の信号が印加されていると共に、該制御装置（５）  によって既述した湯水混合器（１７）やガス弁（２７）等が制御されるようになっている。
【００１５】
上記制御装置（５）  には図２〜図４のフローチャートに示す内容の制御プログラムが格納されており、以下、前記フローチャートに従って本実施の形態の給湯装置の動作を説明する。
先ず、遠隔操作装置（４１）に配設された湯張スイッチ（４５）と湯沸器（２）  に設けられた水流スイッチ（２３）の出力をステップ（ＳＴ１）  （ＳＴ２）  で監視する。そして、ステップ（ＳＴ１）  で湯張スイッチ（４５）の操作が確認できると、ステップ（ＳＴ３）  で湯張り弁（３１１）  を開弁すると共に、湯張り操作がされたことを記憶するために湯張りフラグＦを「１」にセットし、その後にステップ（ＳＴ２）  で水流スイッチ（２３）の出力を確認して湯沸器（２）  への給水が始まったか否かを判断する。一方、上記ステップ（ＳＴ１）  で湯張スイッチ（４５）がＯＮ操作されていない場合は、シャワー（３３）や出湯蛇口（３６）の開放を確認するためにステップ（ＳＴ２）  で水流スイッチ（２３）の信号を判断する。
【００１６】
次に、上記ステップ（ＳＴ２）  で水流スイッチ（２３）のＯＮ信号が確認されて浴槽（３４）への湯張り操作やシャワー（３３）を使用する操作がされたと判断される場合は、更に、豊富な温水が必要とされているか否かを判断するためにステップ（ＳＴ４）  で水量増加スイッチ（４４）が投入されているか否かを判断し、該水量増加スイッチ（４４）が投入されて豊富な温水が必要とされている場合は、ステップ（ＳＴ５）  で湯水混合器（１７）を構成する給水弁（１５１）  を全開状態に維持すると共に一方温水量調整弁（１１２）  を全閉状態に維持する。これにより、図示しない水道配管からの水道水圧が給水回路（１５）を介して湯沸器（２）  に作用する状態にし、これにより、太陽熱温水器（１）  から湯沸器（２）  に流入する温水を制限すると共に、給水回路（１５）を介する水道水のみが湯沸器（２）  に供給されるようにし、これにより、湯沸器（２）  からその下流側に豊富な温水が供給できるようにする。従って、この実施の形態では、前記湯水混合器（１７）が請求項１に記載の発明特定事項たる開度制御置としての機能を兼備しているが、該湯水混合器（１７）とは別に弁装置を設け、該弁装置を前記開度制御装置として利用してもよい。尚、この実施の形態では、前記温水量調整弁（１１２）  と給水弁（１５１）  の開度を前記の状態に維持することによって給水回路（１５）を介する水道水のみが湯沸器（２）  に供給されるようにしたが、例えば給水弁（１５１）  を比較的大きな開度に維持して太陽熱温水器（１）  からの温水が湯沸器（２）  に流入するのを防止しても良い。又、シャワー（３３）から出る温水の流量及び噴出速度が身体に付着した洗剤等の洗い落としに適した値に設定されるなら、給水弁（１５１）  の開度を全開以下の所定開度に設定することにより太陽熱温水器（１）  からの温水が湯沸器（２）  側に多少流入するようにし、これにより、太陽熱温水器（１）  の温水を有効利用するようにしても良い。
【００１７】
次に、ステップ（ＳＴ６）  で熱交換器（２１）の下流側隣接部に配設された出湯温センサ（２４）が検知する出湯温度が遠隔操作装置（４１）の湯温設定器（４６）で設定された温度と等しくなるように、ガス弁（２７）の開度を制御しながらガスバーナ（２６）の燃焼量をコントロールする。
現在実行している動作が給湯動作たる湯張りかそれ以外の給湯かを確認するためにステップ（ＳＴ７）  で湯張りフラグＦの内容を判断し、例えばシャワー（３３）が使用されて前記湯張りフラグＦが「１」になっていない場合は、水量増加スイッチ（４４）がＯＦＦ操作されない限り（豊富な温水が必要とされている状態）、ステップ（ＳＴ１０）→ステップ（ＳＴ１１）→ステップ（ＳＴ６）  →ステップ（ＳＴ７）  →ステップ（ＳＴ１０）と制御動作を繰り返えし、水流スイッチ（２３）がＯＦＦ状態になるまで給湯動作を継続させる。そして、この給湯動作時には、前記水量増加スイッチ（４４）が投入されている限り、既述したように全開状態にある給水回路（１５）を介して供給される水道水のみが湯沸器（２）  で加熱されてこれがシャワー（３３）等から流出するから、太陽熱温水器（１）  の温水を無制限に利用する場合に比べて前記シャワー（３３）に作用する水圧が大きくなり、これにより、該シャワー（３３）で身体の洗剤や汚れ等を迅速且つ効率的に洗い落とすことができる。尚、上記ステップ（ＳＴ１１）を実行したときに水量増加スイッチ（４４）がＯＦＦ操作されている場合は、ステップ（ＳＴ１２）でガスバーナ（２６）を消火させた後に後述のステップ（ＳＴ２０）に制御動作を移行させ、これにより、太陽熱温水器（１）  の温水を利用した給湯動作を実行する。
【００１８】
他方、上記ステップ（ＳＴ７）  を実行したときに湯張りフラグＦの内容が「１」になっている場合、即ち、湯張り動作中の場合は、ステップ（ＳＴ８）  で水位センサ（３１２）  の出力に基づいて浴槽内水位を判断し、該浴槽内水位が設定水位以下の場合はステップ（ＳＴ１１）で水量増加スイッチ（４４）がＯＦＦ操作されたことが確認されない限り、浴槽（３４）内が設定水位になるまで上記湯張り動作を継続させ、前記浴槽（３４）内が設定水位まで湯張りされると、ステップ（ＳＴ９）  でガスバーナ（２６）を消火状態させる共に湯張り弁（３１１）  を閉弁させて湯張り動作を停止させる。
【００１９】
次に、豊富な温水を必要としない場合の給湯や湯張りを行う際の制御動作について説明する。
豊富な温水を必要としない給湯動作等の際に於いては、水量増加スイッチ（４４）を操作することなくシャワーコック（３２１）  の開放や湯張スイッチ（４５）の操作や蛇口（３６）の開放操作を行えば良い。
【００２０】
すると、図２のステップ（ＳＴ４）  から図３の制御に移行し、先ず、ステップ（ＳＴ２０）で太陽熱温水器（１）  から流出する温水の温度を検知する湯温センサ（１１１）  の検知温度と湯温設定器（４６）の設定温度を比較し、前者の検知温度の方が低い場合は、ステップ（ＳＴ２１）で給水弁（１５１）  を全閉状態に維持し、上記太陽熱温水器（１）  から供給される温水が湯温設定器（４６）の設定温度になるまでこれを熱交換器（２１）で加熱昇温させる。以後、図２の場合とほぼ同様に、湯張り動作やシャワー（３３）等への給湯動作を実行する（ステップ（ＳＴ２３）〜ステップ（ＳＴ２９））が、該給湯動作の途中で湯温センサ（１１１）  の検知温度が湯温設定器（４６）の設定温度以上になった場合は、ステップ（ＳＴ２８）から後述の図４の制御（太陽熱温水器（１）  からの温水を給水回路（１５）からの冷水で設定温度までぬるめながら給湯する制御）に移行する。又、湯張り動作やその他の給湯動作の途中で水量増加スイッチ（４４）が投入された場合、即ち、豊富な温水が必要とされた場合は、ステップ（ＳＴ２７）から既述した図２のステップ（ＳＴ５）  に制御が移される。
【００２１】
次に、豊富な温水を必要としない給湯動作等の際に於いて太陽熱温水器（１）  から供給される温水の温度が湯温設定器（４６）の設定温度以上にある場合の動作について説明する。
この場合は、図３のステップ（ＳＴ２０）から図４のステップ（ＳＴ３０）に制御動作が移行し、太陽熱温水器（１）  から供給される温水と給水回路（１５）を介して供給される水道水を混合した混合温水の温度を検知する混合水温センサ（１３）の検知温度と湯温設定器（４６）の設定温度が比較される。そして、ステップ（ＳＴ３１）（ＳＴ３２）で前記両温度を等しくするように前記温水と冷水の混合割合を調整する。即ち、前記混合水温センサ（１３）の検知する混合温水の温度が湯温設定器（４６）の設定温度より低い場合は、湯水混合器（１７）の温水量調整弁（１１２）  と給水弁（１５１）  の開度調整をすることにより、給水回路（１５）から供給される水道水の混合割合を減少させ（ステップ（ＳＴ３１））、逆に、前記混合温水の温度が前記設定温度より高い場合は前記水道水の混合割合を増加させる（ステップ（ＳＴ３２））のである。以後、現在実行している動作が湯張り動作か否かを判断するためにステップ（ＳＴ３３）で湯張りフラグＦの内容を確認し、湯張り動作を実行している場合には、ステップ（ＳＴ３４）→ステップ（ＳＴ３７）→ステップ（ＳＴ２０）→ステップ（ＳＴ３０）（ＳＴ３１）（ＳＴ３２）→ステップ（ＳＴ３３）→ステップ（ＳＴ３４）のルーチンを繰り返して浴槽内が設定水位に達すると、ステップ（ＳＴ３５）で湯張り弁（３１１）  を閉じて湯張り動作を停止させる。他方、ステップ（ＳＴ３３）を実行したときに湯張りフラグＦの内容が「１」になっておらず、湯張り動作中でないことが確認できると、水流スイッチ（２３）がＯＦＦ信号を出力するまで給湯動作を実行する（ステップ（ＳＴ３６）等）。
【００２２】
次に、第２番目の実施の形態を図５〜図７に基づいて説明する。
この第２番目の実施の形態は、請求項２に記載の発明に対応している。
この実施の形態ではシャワー（３３）が使用された場合には、自動的に給水回路（１５）からの水道水のみが湯沸器（２）  に供給されて太陽熱温水器（１）  の温水は使用されないように成っている。このため、本実施の形態では、シャワーコック（３２１）  が開放されてシャワーが使用された場合にＯＮ動作する水流スイッチ（２３）（請求項２に記載の発明の「信号発生手段」に対応する。）をシャワー（３３）へのシャワー回路（３２）に配設していると共に、出湯蛇口（３６）（３６）に繋がる給湯回路（３７）には蛇口用水流スイッチ（３７０）  が設けられている。又、浴槽（３４）に繋がる給湯回路（３１）内には湯張り弁（３１１）  が設けられている。そして、本実施の形態では、シャワー（３３）の使用に連動して自動的に給水回路（１５）側の水圧の高い水道水のみが湯沸器（２）  に供給されるように成っていることから、遠隔操作装置（４１）には既述実施の形態のような水量増加スイッチ（４４）は配設されていない。
【００２３】
第２番目の実施の形態の給湯装置に組み込まれた制御装置（５）  内のマイクロコンピュータには図６及び図７のフローチャートで示す内容の制御プログラムが格納されている。
図６に示すように、ステップ（ＳＴ５０）〜ステップ（ＳＴ５２）で湯張スイッチ（４５）と蛇口用水流スイッチ（３７０）  及び水流スイッチ（２３）の出力を監視し、湯張スイッチ（４５）の操作が確認された場合は後述の湯張り動作を実行し、ステップ（ＳＴ５１）で蛇口用水流スイッチ（３７０）  のＯＮ信号が確認できた場合は図７の給湯動作を後述の通り実行する。
【００２４】
他方、ステップ（ＳＴ５２）で水流スイッチ（２３）のＯＮ信号が確認できると、ステップ（ＳＴ５３）に於いて、湯水混合器（１７）を構成する給水弁（１５１）  を全開状態に維持すると共に温水量調整弁（１１２）  を全閉状態に維持し、これにより、太陽熱温水器（１）  側の温水を使用せず給水回路（１５）を介して供給される水道水のみを湯沸器（２）  に流入させ、この状態でガスバーナ（２６）を燃焼させて給湯動作を継続させる。これにより、シャワー（３３）に高い圧力（水道水圧）の水を供給することができ、該圧力の高いシャワー（３３）から豊富な量の温水が噴出し、これによって、身体に付着した洗剤や汚れが迅速且つ効率的に洗い流せる。尚、この実施の形態では、上記湯水混合器（１７）が請求項２の発明特定事項たる開度制御置としての機能を兼備しているが、該湯水混合器（１７）とは別に弁装置を設け、これを前記開度制御装置として利用しても良い。
【００２５】
尚、本実施の形態に於いても、第１番目の実施の形態と同様に、給水弁（１５１）  を比較的大きな開度に維持して太陽熱温水器（１）  からの温水が湯沸器（２）  に流入するのを防止しても良く、又、給水弁（１５１）  の開度を全開以下の所定開度に設定することにより太陽熱温水器（１）  からの温水が湯沸器（２）  側に多少流入するようにして該太陽熱温水器（１）  の温水を有効利用するようにしても良い。
【００２６】
他方、既述ステップ（ＳＴ５０）で湯張スイッチ（４５）の操作が確認された場合は湯張り弁（３１１）  を開弁させると共に湯張りフラグＦを「１」にセットした後に図７の制御に移り、他方、既述したステップ（ＳＴ５１）で蛇口用水流スイッチ（３７０）  のＯＮ信号が確認された場合は直ちに図７の制御に移行する。
即ち、図７のステップ（ＳＴ６０）に於いて太陽熱温水器（１）  から供給される温水の温度（湯温センサ（１１１）  の検知温度）が湯温設定器（４６）の設定温度より低い場合は、該温水を前記設定温度まで湯沸器（２）  の熱交換器（２１）で加熱する（ステップ（ＳＴ６１））。尚、この場合、温水量調整弁（１１２）  を全開にすると共に給水弁（１５１）  を全閉状態に維持することによって太陽熱温水器（１）  の温水のみを利用して前記加熱動作を実行する。
【００２７】
そして、浴槽（３４）への湯張り動作を実行している場合、即ち、ステップ（ＳＴ６２）で湯張りフラグＦの内容が「１」になっていることが確認された場合は、水位センサ（３１２）  の検知する浴槽内水位が設定水位まで上昇したときにステップ（ＳＴ６２）→ステップ（ＳＴ６５）→ステップ（ＳＴ６６）と進んで湯張り動作が終了する。
一方、ステップ（ＳＴ６２）を実行したときに湯張りフラグＦの内容が「１」に成っていない場合は、出湯蛇口（３６）（３６）が閉じられて蛇口用水流スイッチ（３７０）  がＯＦＦ信号を出すまで前記給湯動作を継続させ、前記蛇口用水流スイッチ（３７０）  からＯＦＦ信号が出力されると、ステップ（ＳＴ６４）でガスバーナ（２６）を消火状態に維持して給湯動作を停止させる。
【００２８】
一方、既述したステップ（ＳＴ６０）で湯温センサ（１１１）  の検知温度（太陽熱温水器（１）  から供給される温水の温度）が設定温度以上であることが確認出来ると、ステップ（ＳＴ６７）（ＳＴ６８）（ＳＴ６９）で、湯水混合器（１７）を構成する温水量調整弁（１１２）  及び給水弁（１５１）  の開度を調整することにより太陽熱温水器（１）  からの温水と給水回路（１５）からの水道水の混合割合を調節し、これにより該混合温水の温度（混合水温センサ（１３）の検知温度）を湯温設定器（４６）の設定温度に一致させる。以後、湯張り動作の場合、即ち、湯張りフラグＦの内容が「１」に成っている場合には、水位センサ（３１２）  の検知する浴槽内水位が設定水位になるのをステップ（ＳＴ７２）で監視し、これが設定水位まで上昇するとステップ（ＳＴ７３）で湯張り弁（３１１）  を閉じて湯張り動作を停止させる。
【００２９】
又、出湯蛇口（３６）（３６）で温水を使用している場合はステップ（ＳＴ７１）で蛇口用水流スイッチ（３７０）  のＯＦＦ信号が確認できるまで給湯動作を継続させる。
尚、上記いずれの実施の形態に於いても、シャワー（３３）は浴室（Ｂ）  に設けた場合を例示的に説明したが、該シャワー（３３）は洗面所に設けられていても良い。
又、上記各実施の形態に於いては、湯張り弁（３１１）  を介して浴槽（３４）に湯張りする場合を例示したが、浴槽（３４）の近傍に出湯蛇口（３６）を配設してこの出湯蛇口（３６）から湯張りするようにしてもよい。更に、本発明では、既述各実施の形態で示したように浴槽（３４）へ繋がる給湯回路（３１）と出湯蛇口（３６）（３６）に繋がる給湯回路（３７）の両者を設ける場合を例示したが、給湯回路（３１）（３７）の何れか一方の給湯回路とシャワー回路（３２）を具備する給湯装置であれば、請求項１及び請求項２の発明を適用することができる。
【図面の簡単な説明】
【図１】第１番目の実施の形態の給湯装置の回路図
【図２】第１番目の実施の形態の給湯装置の制御動作を示すフローチャート
【図３】第１番目の実施の形態の給湯装置の制御動作を示すフローチャート
【図４】第１番目の実施の形態の給湯装置の制御動作を示すフローチャート
【図５】第２番目の実施の形態の給湯装置の回路図
【図６】第２番目の実施の形態の給湯装置の制御動作を示すフローチャート
【図７】第２番目の実施の形態の給湯装置の制御動作を示すフローチャート
【図８】従来例の説明図
【符号の説明】
（１）  ・・・太陽熱温水器
（２）  ・・・湯沸器
（１５）・・・給水回路
（１７）・・・湯水混合器
（３２）・・・シャワー回路
（３４）・・・浴槽
（３６）・・・出湯蛇口
【図１】
0003616678.tif 000002
【図２】
0003616678.tif 000003
【図３】
0003616678.tif 000004
【図４】
0003616678.tif 000005
【図５】
0003616678.tif 000006
【図６】
0003616678.tif 000007
【図７】
0003616678.tif 000008
【図８】
0003616678.tif 000009